【事件の表示】
　特許第２９２８７６２号「パンティストッキング」の特許に対する特許異議の申立てについて、次のとおり決定する。
【結　論】
　訂正を認める。
　特許第２９２８７６２号の特許を維持する。
【理　由】
Ｉ．手続の経緯
　本件特許第２９２８７６２号は、平成９年４月１４日に出願され、平成１１年５月１４日に特許の設定登録がなされ、特許掲載公報が平成１１年８月３日に発行され、その後、平成１２年２月２日付けで旭化成工業株式会社より特許異議の申立てがなされ、取消理由通知がなされ、その指定期間内である平成１２年７月１４日に意見書の提出と共に訂正請求がなされたものである。　
　
II．訂正の適否についての判断
(1)訂正の要旨
　本件の訂正の要旨は、
ａ．特許請求の範囲の請求項１の　
「レッグ部（２）を、伸縮性があり且つ不透明のサポート糸（１４）と伸縮性がなく且つ透明の生糸（１５）とでループ編成し、前記サポート糸（１４）の各コース（４，４・・）と前記生糸（１５）の各コース（５，５・・）とは、該各サポート糸コース（４，４・・）を前記レッグ部（２）の周方向に高密度部分（Ａ）と低密度部分（Ｃ)とが形成されるように密度に変化をもたせた状態でループ編成しているとともに、前記各サポート糸コース（４，４・・）の高密度部分（Ａ）及び低密度部分（Ｃ）を、それぞれレッグ部（２）の長さ方向のほぼ全長に亘って連続させた、ことを特徴とするパンティストッキング。」
という記載を、
「レッグ部（２）を、伸縮性があり且つ不透明のサポート糸（１４）と伸縮性がなく且つ透明の生糸（１５）とでループ編成し、前記サポート糸（１４）の各コース（４，４・・）にレッグ部周方向に通常度目高さ（Ｌo）部分と該通常度目高さ（Ｌo）より小さい小度目高さ（Ｌ１）部分とを形成する一方、前記生糸（１５）の各コース（５，５・・）にレッグ部周方向に通常度目高さ（Ｍo）部分と該通常度目高さ（Ｍo）より大きい大度目高さ（Ｍ１）部分とを形成し、前記サポート糸（１４）の各コース（４，４・・）と前記生糸（１５）の各コース（５，５・・）とは、該各サポート糸コース（４，４・・）について、前記レッグ部（２）の周方向に、各サポート糸コース（４，４・・）の各通常度目高さ（Ｌo、Ｌo・・）部分と各生糸コース（５，５・・）の通常度目高さ（Ｍo、Ｍo・・）部分をループ編成してなるサポート糸（１４）の高密度部分（Ａ）と、各サポート糸コース（４，４・・）の各小度目高さ（Ｌ１、Ｌ１・・）部分と各生糸コース（５，５・・）の大度目高さ（Ｍ１、Ｍ１・・）部分をループ編成してなるサポート糸（１４）の低密度部分（Ｃ）とが形成されるように密度に変化をもたせた状態でループ編成しているとともに、前記各サポート糸コース（４，４・・）の高密度部分（Ａ）及び低密度部分（Ｃ）を、それぞれレッグ部（２）の長さ方向のほぼ全長に亘って連続させた、ことを特徴とするパンティストッキング。」
と訂正し、
同請求項２を削除し、
ｂ．発明の詳細な説明を全文訂正明細書記載のとおり訂正し、
ｃ．図５を削除しようとするものである。
(2)訂正の目的の適否、新規事項の追加及び拡張・変更の存否
　前記訂正ａは特許請求の範囲の請求項１において、「サポート糸と生糸の編成」の構成をより具体的に限定しようとするもので、本件明細書の段落番号【００１８】ないし【００２２】（特許掲載公報５欄７行〜６欄３８行）および【図１】ないし【図４】の記載に基づくものである。
　したがって、この訂正は特許請求の範囲の減縮に該当し、新規事項の追加に該当せず、実質的に特許請求の範囲を拡張又は変更するものではない。
　前記訂正ｂおよびｃは特許請求の範囲の減縮に整合させるための訂正であって、明細書に記載された事項の範囲内の訂正であり、明りょうでない記載の釈明に該当し、実質的に特許請求の範囲を拡張又は変更するものではない。
(3)独立特許要件の判断
1)訂正明細書に係る発明
　訂正明細書の請求項１に係る発明（以下、「訂正発明」という。）は、訂正明細書および図面の記載からみて、その特許請求の範囲の請求項１に記載された以下のとおりのものと認められる。
「(A)レッグ部（２）を、伸縮性があり且つ不透明のサポート糸（１４）と伸縮性がなく且つ透明の生糸（１５）とでループ編成し、
(B)前記サポート糸（１４）の各コース（４，４・・）にレッグ部周方向に通常度目高さ（Ｌo）部分と該通常度目高さ（Ｌo）より小さい小度目高さ（Ｌ１）部分とを形成する一方、前記生糸（１５）の各コース（５，５・・）にレッグ部周方向に通常度目高さ（Ｍo）部分と該通常度目高さ（Ｍo）より大きい大度目高さ（Ｍ１）部分とを形成し、
(C)前記サポート糸（１４）の各コース（４，４・・）と前記生糸（１５）の各コース（５，５・・）とは、該各サポート糸コース（４，４・・）について、前記レッグ部（２）の周方向に、各サポート糸コース（４，４・・）の各通常度目高さ（Ｌo、Ｌo・・）部分と各生糸コース（５，５・・）の通常度目高さ（Ｍo、Ｍo・・）部分をループ編成してなるサポート糸（１４）の高密度部分（Ａ）と、各サポート糸コース（４，４・・）の各小度目高さ（Ｌ１、Ｌ１・・）部分と各生糸コース（５，５・・）の大度目高さ（Ｍ１、Ｍ１・・）部分をループ編成してなるサポート糸（１４）の低密度部分（Ｃ）とが形成されるように密度に変化をもたせた状態でループ編成しているとともに、
(D)前記各サポート糸コース（４，４・・）の高密度部分（Ａ）及び低密度部分（Ｃ）を、それぞれレッグ部（２）の長さ方向のほぼ全長に亘って連続させた、(E)ことを特徴とするパンティストッキング。」（符号Ａ〜Ｄは当審で付した。）
2)引用刊行物に記載された発明
　当審が通知した取消理由で引用した刊行物１および２には、概略以下の事項が記載されている。
・刊行物１：特開平９−７８３０７号公報（平成９年３月２５日公開）
ａ．「本発明は、・・・脚部の側面部に他の部分より色が濃いシャドウ効果を付与することができる・・・着用時に脚が細く見えるパンティストッキングを提案するものである。」（１欄４２〜４６行）
ｂ．「本発明はパンティストッキングを編成する際、左右両脚部の側面部を他の部分より編目を密に編成してなるもので、これにより全体を同時に染色したときに、編み目の密な部分は糸が混んでいるので、相対的に色が濃い部分となり、シャドウ効果が付与されることとなる。」（２欄４８行〜３欄３行、図１および２参照。）
ｃ．「本発明のパンティストッキングは・・・編成の際に編み糸を変えることなく編目の大きさだけを変えて、通常の編目より密な編目を脚部の内側面又は両側面に略帯状に配するだけで、染色後は相対的にこの部分が色の濃い部分となってシャドウ効果が発揮され、着用時に正面又は背面から見ると足が細く見える」（２欄４２〜４８行）
・刊行物２：「繊研新聞」１９９４年４月２５日　朝刊　１面
「ゾッキパンストはサポートタイプのパンストが拡大する中で生まれた。サポートパンストは・・・カバリング糸とナイロンとを交編させて編み上げたサポート交編商品に対して、ゾッキパンストはカバリング糸を１００％使って編み立てた商品で、横縞がなく、丈夫で耐久性があるのが特徴。」（２〜３段）
3）訂正発明と引用刊行物に記載された発明との対比・判断
　訂正後の本件発明と刊行物１記載の発明とを対比すると、両者は「着用したときに足が細く見えるパンティストッキング」を得ることを目的として、「編目の度目を変えて編み密度に高低をつけ、レッグ部に縦縞模様を現出させる」点で一致する。しかしながら、縦縞模様を現出させる具体的構成が、後者では、１種類の糸を編成し、編目の密な部分を形成し、染色後、その部分が他の部分より相対的に濃色となる（記載ｃ）ものであるのに対し、前者では（イ）伸縮性と透明性の異なる「サポート糸」と「生糸」の２種類の糸を編成し（構成Ａ）、（ロ）各サポート糸コースについて、サポート糸の高密度部分と低密度部分とを生成させるにあたり、各コースにおける２種類の糸の度目高さを変化させ（構成Ｂ・Ｃ）各サポート糸コースの高密度部分と低密度部分をそれぞれレッグ部の長さ方向のほぼ全長に亘って連続させる（構成Ｅ）ものである点で相違する。
　そこで、以下、相違点について検討する。
　相違点（イ）について検討するために刊行物２をみてみると、パンティストッキングをカバリング糸とナイロンとを交編させて構成することが記載されている。しかしながら、両糸が本件訂正発明における構成Ａを備えたものであるとの記載はない。また、相違点（ロ）についても引用刊行物２には全く記載されていない。
  したがって、刊行物２は、相違点（イ）および（ロ）を補うものではない。
　本件訂正発明は前記相違点（イ）および（ロ）の構成を有することにより、縦縞模様を別工程で加工する必要がなく、頻繁に洗濯しても色あせすることがなく、長期に亘って良好な縦縞模様を維持させることができるという特有の効果を奏するものである。（訂正後の段落番号【００２３】【００２４】）
　以上のとおりであるから、本件訂正発明が刊行物１に記載された発明であるとも、刊行物１および２記載の発明に基づいて当業者が容易に発明することができたものであるともいえない。
4)記載不備について
　当審が通知した取消理由において指摘した不明りょうな記載について、以下検討する。
・「サポート糸および生糸」について：両糸に関する用語は、当該業界誌において一般に使用されているものであり（引用刊行物２および昭和６１年３月　株式会社　繊維商業ニュース社　発行「レッグファッション」第２巻第６号１５頁[乙第１号証]参照。）、訂正明細書の「発明の詳細な説明」における段落番号【００１４】の記載および図４等を参照すれば、「パンティストッキング業界」の「当業者」であるならば何を意味するかは容易に理解することができるものと認められる。
・「伸縮性のあり、なし」について：本件発明は「パンティストッキング」に関するものであるから、その材料は通常の「パンティストッキング用糸」である。この場合、完全に伸縮性がないものや、無制限に伸縮性があるものは当業者の常識をもってしては考えられない。したがって、本件特許の明細書における「伸縮性のあり、なし」は絶対的な意味でのものではなく、相対的なものであることは、当業者が常識的に理解しうることである。そして、本件特許の明細書において「伸縮性があり」とされている「サポート糸」の「伸縮性」の範囲、およびそれに対して「伸縮性がなく」とされている「生糸」の「伸縮性」の範囲は「パンティストッキング業界」における当業者であるならば自ずと常識的に理解できるものと認められる。
・「透明、不透明」について：本件特許の明細書における「透明、不透明」も「伸縮性のあり、なし」同様、絶対的な意味でのものではなく、相対的なものであることは、当業者が常識的に理解しうることである。本件特許の明細書で使用されている「透明」および「不透明」の用語の意味は本件発明の目的、特徴、効果に適合するように選択すればよいことであり、このことは「パンティストッキング業界」における当業者であるならば自ずと常識的な範囲が理解されるものと認められる。
　したがって、前記用語の記載が特許法第３６条で規定する要件を満たしていないとするほど不明りょうなものとはいえない。
(4)むすび
　以上のとおりであるから、引用刊行物１および２をもってしては訂正発明を出願の際、独立して特許を受けることができない発明とすることはできない。また、独立して特許を受けることができないほど記載が不明りょうであるともいえない。そして、他に出願の際、独立して特許を受けることができない発明とする理由もない。
　したがって、当該訂正は、特許法第１２０条の４第２項及び第３項で準用する第１２６条第２〜４項の規定に適合するので、当該訂正を認める。
　
III．特許異議の申立てについての判断
(1)本件請求項１に係る発明
　本件請求項１に係る発明（以下、「本件発明」という。）は、前記訂正が認められた結果、平成１２年７月１４日付けで提出された全文訂正明細書の特許請求の範囲の請求項１に記載されたとおりのものである。（記載内容については前記II−(3)−1)参照。）
(2)申立ての理由の概要
　申立人旭化成工業株式会社は証拠として　
・甲第１号証：特開平９−７８３０７号公報（平成９年３月２５日公開）（　　当審が通知した取消理由で引用した刊行物１に同じ）　
・甲第２号証：「繊研新聞」１９９４年４月２５日号　朝刊　１面（当審が　　通知した取消理由で引用した刊行物２に同じ）　
・甲第３号証：「審査基準」第Ｉ部　明細書　３〜６頁（平成５年７月２０　　日発行）
・甲第４号証：「第２版　繊維便覧」１８０頁　丸善株式会社（平成６年３　　月２５日発行）
・甲第５号証：「工業用ナイロン」８８〜８９頁　日刊工業新聞社（昭和３　　５年１１月２０日発行）
・甲第６号証：平成１１年３月４日付け「面接記録」
を提出し、本件の請求項１に係る発明に対する特許は以下の取り消し理由を有していると主張している。　
・取消理由１：本件発明はその記載が不明りょうであるから、特許法第３６条第６項第２号の規定に違反して特許されたものである。
・取消理由２：本件発明は甲第１号証に記載された発明であるから、特許法第２９条第１項第３号の規定に違反して特許されたものである。
・取消理由３：本件発明は甲第１および２号証に記載された発明に基づいて当業者が容易に発明をすることができたものであるから、特許法第２９条第２項の規定に違反して特許されたものである。
(3)申立人が提出した甲各号証の記載事項
・甲第１号証：前記II-(3)-2)の記載参照。
・甲第２号証：前記II-(3)-2)の記載参照。
・甲第３号証：『(12)請求項の記載において、以下のような表現があり、その結　　果、特許を受けようとする発明の構成に欠くことができない事項が不明瞭に　　なる場合。・・・「やや比重の大なる」、「はるかに大きい」、「低温」、「高温」　　などの比較の基準、程度が不明瞭な表現を用いた表現。』（６頁１〜６行）
・甲第４号証：ナイロンの伸縮性に関し、図１・１８７にはナイロン普通糸で３　　０％程度、強力糸で２０％程度の伸長性があることが示されている。
・甲第５号証：図３・２１にはナイロン６フィラメントの伸長回復率が示されて　　いる。
・甲第６号証：「サポート糸」および「生糸」が「業界用語」としては明瞭であ　　あると記載されている。
(4)当審の判断
1)取消理由１について
　申立人は本件特許請求の範囲において使用している「サポート糸および生糸」、「伸縮性のあり、なし」および「透明、不透明」の用語について、発明の詳細な説明にはこれら用語の定義、程度、範囲、例示等、具体的記載がなく、不明りょうな表現を用いたものであると主張する。しかしながら、これら用語の意味およ程度、範囲等は「パンティストッキング業界」における当業者であるならば容易に理解しうる事項であることは前記II-(3)-4)記載のとおりであり、取消理由１についての当審の判断は前記II-(3)-4)記載のとおりであって、本件発明は特許法第３６条第６項第２号の規定に違反して特許されたものではない。
2)取消理由２および３について
  申立人の提出した甲第１および２号証刊行物は、当審が通知した取消理由で引用した刊行物１および２と同じものであり、取消理由２および３についての当審の判断は前記II-(3)-3)記載のとおりであって、本件発明は特許法第２９条第１項第３号または同法第２９条第２項の規定に違反して特許されたものではない。
(5)むすび
　したがって、特許異議の申立ての理由及び証拠によっては、本件特許請求の範囲の請求項１に係る特許を取り消すことはできない。また、他に本件特許請求の範囲の請求項１に係る特許を取り消すべき理由を発見しない。
　よって、結論のとおり決定する。
【異議決定日】
平成１２年７月２８日（２０００．７．２８）
【訂正の要旨】
訂正の要旨
　特許第２９２８７６２号発明の明細書を、
（Ａ）特許請求の範囲の減縮を目的として、
ａ．請求項１の「レッグ部（２）を、伸縮性があり且つ不透明のサポート糸（１４）と伸縮性がなく且つ透明の生糸（１５）とでループ編成し、前記サポート糸（１４）の各コース（４，４・・）と前記生糸（１５）の各コース（５，５・・）とは、該各サポート糸コース（４，４・・）を前記レッグ部（２）の周方向に高密度部分（Ａ）と低密度部分（Ｃ）とが形成されるように密度に変化をもたせた状態でループ編成しているとともに、前記各サポート糸コース（４，４・・）の高密度部分（Ａ）及び低密度部分（Ｃ）を、それぞれレッグ部（２）の長さ方向のほぼ全長に亘って連続させた、ことを特徴とするパンティストッキング。」
という記載を、
「レッグ部（２）を、伸縮性があり且つ不透明のサポート糸（１４）と伸縮性がなく且つ透明の生糸（１５）とでループ編成し、前記サポート糸（１４）の各コース（４，４・・）にレッグ部周方向に通常度目高さ（Ｌ０）部分と該通常度目高さ（Ｌ０）より小さい小度目高さ（Ｌ１）部分とを形成する一方、前記生糸（１５）の各コース（５，５・・）にレッグ部周方向に通常度目高さ（Ｍ０）部分と該通常度目高さ（Ｍ０）より大きい大度目高さ（Ｍ１）部分とを形成し、前記サポート糸（１４）の各コース（４，４・・）と前記生糸（１５）の各コース（５，５・・）とは、該各サポート糸コース（４，４・・）について、前記レッグ部（２）の周方向に、各サポート糸コース（４，４・・）の各通常度目高さ（Ｌ０、Ｌ０・・）部分と各生糸コース（５，５・・）の通常度目高さ（Ｍ０、Ｍ０・・）部分をループ編成してなるサポート糸（１４）の高密度部分（Ａ）と、各サポート糸コース（４，４・・）の各小度目高さ（Ｌ１、Ｌ１・・）部分と各生糸コース（５，５・・）の大度目高さ（Ｍ１、Ｍ１・・）部分をループ編成してなるサポート糸（１４）の低密度部分（Ｃ）とが形成されるように密度に変化をもたせた状態でループ編成しているとともに、前記各サポート糸コース（４，４・・）の高密度部分（Ａ）及び低密度部分（Ｃ）を、それぞれレッグ部（２）の長さ方向のほぼ全長に亘って連続させた、ことを特徴とするパンティストッキング。」
と訂正し、
ｂ．請求項２を削除する。
（Ｂ）明りょうでない記載の釈明を目的として、発明の詳細な説明の
ｃ．段落番号【００１０】（特許掲載公報３欄７行〜４欄９行）の「そして、上記サポート糸の各コースと生糸の各コースとは、該サポート糸コースをレッグ部の周方向に高密度部分と低密度部分とが形成されるように密度に変化をもたせた状態でループ編成している。尚、上記コースとは、レッグ部の周方向のラインのことである。」という記載を、
「サポート糸の各コースには、レッグ部周方向に通常度目高さ部分と該通常度目高さより小さい小度目高さ部分とを形成している。生糸の各コースには、レッグ部周方向に通常度目高さ部分と該通常度目高さより大きい大度目高さ部分とを形成している。そして、上記サポート糸の各コースと生糸の各コースとは、該各サポート糸コースについて、レッグ部の周方向に、各サポート糸コースの各通常度目高さ部分と各生糸コースの通常度目高さ部分をループ編成してなるサポート糸の高密度部分と、各サポート糸コースの各小度目高さ部分と各生糸コースの大度目高さ部分をループ編成してなるサポート糸の低密度部分とが形成されるように密度に変化をもたせた状態でループ編成している。尚、上記コースとは、レッグ部の周方向のラインのことである。」
と訂正し、
ｄ．段落番号【００１３】ないし【００１６】（特許掲載公報４欄２２〜４５行）の記載を削除し、
ｅ．段落番号【００１７】（特許掲載公報４欄４６行〜５欄６行）の
「【発明の実施の形態】以下、図１〜図５を参照して本願実施形態のパンティストッキングを説明すると、この実施形態のパンティストッキング１は、図１〜図３に示すようにパンティ部３の下部に左右２本のレッグ部２、２の各上縁部を縫い付けて形成されている。尚、パンティ部３は、常法の手段によって編成されるとともに、各レッグ部２、２とパンティ部３との縫合も常法の手段で行われる。又、図４には本願第１実施形態、図５には本願第２実施形態のレッグ部２のループ編成状態がそれぞれ示されている。」
という記載を
「【発明の実施の形態】以下、図１〜図４を参照して本願実施形態のパンティストッキングを説明すると、この実施形態のパンティストッキング１は、図１〜図３に示すようにパンティ部３の下部に左右２本のレッグ部２、２の各上縁部を縫い付けて形成されている。尚、パンティ部３は、常法の手段によって編成されるとともに、各レッグ部２、２とパンティ部３との縫合も常法の手段で行われる。又、図４には本願実施形態のレッグ部２のループ編成状態が示されている。」と訂正し、
ｆ．段落番号【００１８】の１行（特許掲載公報５欄７行）の
「第１実施形態」
という記載を
「実施形態」
と訂正し、
ｇ．段落番号【００２１】の１行（特許掲載公報６欄８行）の
「第１各実施形態」
という記載を
「上記実施形態」
と訂正し、
ｈ．段落番号【００２４】の１行（特許掲載公報６欄４９行）の
「第１実施形態」
という記載を
「この実施形態」
と訂正し、
ｉ．段落番号【００２５】ないし【００２８】（特許掲載公報７欄９〜４０行）の記載を削除し、
ｊ．段落番号【００３３】（特許掲載公報８欄１７〜２４行）の記載を削除し、
ｋ．段落【図面の簡単な説明】の【図４】の１行（特許掲載公報８欄３０行）の
「本願第１実施形態」
という記載を
「本願実施形態」
と訂正し、
ｌ．段落【図面の簡単な説明】の【図５】の項（特許掲載公報８欄３２〜３３行）を削除し、
ｍ．段落【符号の説明】（特許掲載公報８欄３４〜３９行）の
「１はパンティストッキング、２はレッグ部、３はパンティ部、４はサポート糸コース、５は生糸コース、４Ａ、４Ｂはサポート糸コース、１４はサポート糸、１５は生糸、Ａは高密度部分、Ａ’は通常度目高さ範囲、Ｃは低密度部分、Ｃ’は度目高さ変化範囲である。」
という記載を
「１はパンティストッキング、２はレッグ部、３はパンティ部、４はサポート糸コース、５は生糸コース、１４はサポート糸、１５は生糸、Ａは高密度部分、Ｃは低密度部分である。」
と訂正する。
（Ｃ）明りょうでない記載の釈明を目的として、
ｎ．図５を削除する
（５４）【発明の名称】
パンティストッキング
（５７）【特許請求の範囲】
　　【請求項１】レッグ部（２）を、伸縮性があり且つ不透明のサポート糸（１４）と伸縮性がなく且つ透明の生糸（１５）とでループ編成し、
　
前記サポート糸（１４）の各コース（４，４・・）にレッグ部周方向に通常度目高さ（Ｌ０）部分と該通常度目高さ（Ｌ０）より小さい小度目高さ（Ｌ１）部分とを形成する一方、前記生糸（１５）の各コース（５，５・・）にレッグ部周方向に通常度目高さ（Ｍ０）部分と該通常度目高さ（Ｍ０）より大きい大度目高さ（Ｍ１）部分とを形成し、
　前記サポート糸（１４）の各コース（４，４・・）と前記生糸（１５）の各コース（５，５・・）とは、該各サポート糸コース（４，４・・）
について、
、各サポート糸コース（４，４・・）の各通常度目高さ（Ｌ０，Ｌ０・・）部分と各生糸コース（５，５・・）の通常度目高さ（Ｍ０，Ｍ０・・）部分をループ編成してなるサポート糸（１４）の高密度部分（Ａ）とし各サポート糸コース（４，４・・）の各小度目高さ（Ｌ１，Ｌ１・・）部分と各生糸コース（５，５・・）の大度目高さ（Ｍ１，Ｍ１・・）部分をループ編成してなるサポート糸（１４）の
　前記各サポート糸コース（４，４・・）の高密度部分（Ａ）及び低密度部分（Ｃ）を、それぞれレッグ部（２）の長さ方向のほぼ全長に亘って連続させた、ことを特徴とするパンティストッキング。
【発明の詳細な説明】
　　　【０００１】
　　【発明の属する技術分野】
　本願発明は、パンティストッキングに関し、特にパンティストッキングにおけるレッグ部の改良に関するものである。
　　　【０００２】
　　【従来の技術】
　パンティストッキングに付加価値を付与したものの一例として、パンティストッキングを着用したときに足が細く見えるようにしたものがある。即ち、従来から、パンティストッキングの装着状態において足を細く見せるための手法として、パンティストッキングのレッグ部に昇華プリントにより縦縞模様を現出させたものや、該レッグ部の原糸仕様及び編み組織による圧着力アップで足を締め付けるようにしたもの、等がある。
　　　【０００３】
　尚、レッグ部に単に縦縞模様を現出させただけでは、パンティストッキングの装着状態で実際に足が細くなるものではないが、縦縞模様が形成されていると、目の錯覚で足が細く見えるようになる。
　　　【０００４】
　　【発明が解決しようとする課題】
　ところが、パンティストッキングのレッグ部に昇華プリントにより縦縞模様を現出させたものでは、高温によるプリントのために生地が痛み易くなり、さらにプリントの色止めができないことにより洗濯時に色落ちして、比較的短期間で使用に耐えないものになってしまうという問題があるほか、プリントのための工程及び設備が必要になるという問題もあった。
　　　【０００５】
　又、レッグ部の生地の圧着力で足を締め付けて、その足を実際に細くし得るようにしたパンティストッキングでは、着用状態で強い圧迫感があり、特に長時間着用していると不快感を発生させるという問題がある。
　　　【０００６】
　本願発明は、上記した問題点に鑑み、レッグ部にプリントを施すことなく該レッグ部に縦縞模様を現出させ得るようにしたパンティストッキングを提供することを目的としている。
　　　【０００７】
　　【課題を解決するための手段】
　本願発明は、上記課題を解決するための手段として次の構成を有している。
　　　【０００８】
　
本願請求項１の発明
　本願請求項１の発明は、レッグ部をサポート糸と生糸とでループ編成してなるパンティストッキングを対象にしている。
　　　【０００９】
　上記サポート糸には、伸縮性があり且つ不透明の糸が採用されており、上記生糸には、伸縮性がなく且つ透明の糸（例えばナイロン糸）が採用されている。
　　　【００１０】
　
サポート糸の各コースには、レッグ部周方向に通常度目高さ部分と該通常度目高さより小さい小度目高さ部分とを形成している。
　
生糸の各コースには、レッグ部周方向に通常度目高さ部分と該通常度目高さより大きい大度目高さ部分とを形成している。
　そして、上記サポート糸の各コースと生糸の各コースとは、該各サポート糸コース
について、
、各サポート糸コースの各通常度目高さ部分と各生糸コースの通常度目高さ部分をループ編成してなるサポート糸の
、各サポート糸コースの各小度目高さ部分と各生糸コースの大度目高さ部分をループ編成してなるサポート糸の
　　　【００１１】
　レッグ部の生地としては、サポート糸と生糸による面積当たりの密度は全面積に亘ってほぼ均一であるが、本願請求項１では、該サポート糸と生糸との割合をレッグ部の周方向の位置によって変化させている。又、レッグ部に使用されているサポート糸は不透明で、生糸は透明であるので、サポート糸が高密度の部分は色調が濃く見え、サポート糸が低密度の部分は色調が淡く見える。
　　　【００１２】
　又、上記各サポート糸コースの高密度部分及び低密度部分は、それぞれレッグ部の長さ方向のほぼ全長に亘って連続させている。このように、各サポート糸コースの高密度部分及び低密度部分を、それぞれレッグ部の長さ方向に連続させると、該レッグ部に色調の濃淡による縦縞模様が現出するようになる。このようにレッグ部に縦縞模様があると、目の錯覚ではあるが、該レッグ部を実際の横幅（太さ）より小さく（細く）見せるように機能する。尚、レッグ部において、サポート糸コースの高密度部分と低密度部分との間に中密度部分を介在させると、該中密度部分がぼかし機能を発揮して、縦縞模様の境目部分の色調がやわらかくなる。
　　　【００１３】
　　【発明の実施の形態】
　以下、図１〜図
４
本願実施形態の
が示
　　　【００１４】
　図４に示
す実
　　　【００１５】
　そして、各レッグ部２，２は、サポート糸１４と生糸１５とを、編み機によって上下に順次交互にループ編成（４口編成）して筒状に成形されているが、本
願実
　　　　【００１６】
　上下各サポート糸コース４，４・・の度目高さの変化パターン、及び上下各生糸コース５，５・・の度目高さの変化パターンは、それぞれ各コース同士（サポート糸コース同士、生糸コース同士）がほぼ同じパターンとなっている。尚、足首付近においてはウエル数を若干減少させている。そして、各サポート糸コース４，４・・及び生糸コース５，５・・は、それぞれ上記各変化パターンが上下同位置に重合するように配置させている。従って、各サポート糸コース４，４・・における、高密度部分Ａ、中密度部分Ｂ、低密度部分Ｃは、それぞれレッグ部２の長さ方向のほぼ全長に亘って連続するようになる。尚、このように、サポート糸１４の密度（単位面積当たりのサポート糸の量）が変化するのは、次の理由による。即ち、各生糸コース５，５・・の通常度目高さＭ０部分（符号Ａの範囲）では、上下生糸コース５，５間に大きな間隔ができて、その間に編み込まれるサポート糸１４の量が多くなり（符号Ｌ０の高さ）、逆に各生糸コース５，５・・の大度目高さＭ１部分（符号Ｃの範囲）では、上下生糸１５，１５間の間隔が小さくなって、その間に編み込まれるサポート糸１４の量が少なくなるためである。尚、サポート糸１４は伸縮性があるために、上下の生糸１５，１５を引き寄せようとするが、生糸１５は伸縮性がないので該生糸１５がその度目高さより伸びることがなく、従ってサポート糸１４の度目高さは、上下の生糸１５，１５間の間隔に制限されて、高密度部分Ａと中密度部分Ｂと低密度部分Ｃとができるようになる。
　　　【００１７】
　上
記実
の
　　　【００１８】
　ところで、上記したサポート糸１４の高密度部分Ａ、中密度部分Ｂ、低密度部分Ｃがそれぞれレッグ部２の長さ方向に連続形成されていると、該レッグ部２に縦縞模様（グラデーション）を現出させることができる。即ち、サポート糸１４は不透明で、生糸１５は透明であるので、サポート糸１４の高密度部分Ａのラインは色調が濃く見え、逆にサポート糸１４の低密度部分Ｃのラインは色調が淡く見えるようになる。又、サポート糸１４の中密度部分Ｂのラインは、色調が横方向に「濃」から「淡」あるいは「淡」から「濃」に漸次変化して、ぼかし機能を発揮する。
　　　【００１９】
　尚、図１〜図３には、高密度部分Ａのラインと中密度部分Ｂのライン間、中密度部分Ｂのラインと低密度部分Ｃのライン間に、それぞれ２点鎖線を記入しているが、この各線は実際に見えるものではなく、各ラインを識別するのに便宜上記載したものである。又、実際には、図４において、低密度部分Ｃの範囲には例えば３５個程度のループ数（ウエル数）があり、又中密度部分Ｂの範囲には例えば２５個程度のループ数（ウエル数）があるが、作図上、ループ数を少なく記載している。
　　　【００２０】
　
この
　　　【００２１】
　　【発明の効果】
　本願請求項１の発明のパンティストッキング１は、次のような効果がある。
　　　【００２２】
　まず、レッグ部２において、不透明のサポート糸１４の密度を変化させてなる縦縞模様を形成しているので、このパンティストッキング１を着用すると、グラデーション効果により足が実際より細く見えるようになる。
　　　【００２３】
　又、この縦縞模様は、サポート糸１４と生糸１５とをループ編成する際に、該サポート糸１４の密度を変化させることで形成できるので、該縦縞模様を別工程で加工する必要がない。
　　　【００２４】
　さらに、この縦縞模様は、サポート糸１４自体の色で現出させているので、頻繁に洗濯しても色あせすることがなく、長期に亘って良好な縦縞模様を維持させることができる。
【図面の簡単な説明】
　　【図１】
　本願実施形態のパンティストッキングの正面図である。
　　【図２】
　図１の左側面図である。
　　【図３】
　図１の背面図である。
　　【図４】
　本
願実
　　【符号の説明】
　１はパンティストッキング、２はレッグ部、３はパンティ部、４はサポート糸コース、５は生糸コース、１４はサポート糸、１５は生糸、Ａは高密度部分、Ｃは低密度部分である。
【図面】